(57)【要約】  連続する複数の電話番号の登録作業における負担を軽減可能な通信装置を提供する。  通信装置１００は、情報を記憶するためのデータベース１４０と、連続する複数の電話番号を示す連続番号の開始番号および終了番号を含む入力情報を入力する入力部１１０と、入力情報に基づいて、連続番号としての登録情報をデータベース１４０へ登録する登録情報管理部１３０とを有する構成としている。
2009028105.tif 000002
【特許請求の範囲】
【請求項１】
情報を記憶するための記憶部と、
連続する複数の電話番号を示す連続番号の開始番号および終了番号を含む入力情報を入力する入力部と、
前記入力情報に基づいて、前記連続番号としての登録情報を前記記憶部へ登録する登録情報管理部と
を有する通信装置。
【請求項２】
請求項１に記載の通信装置であって、
前記登録情報管理部は、前記開始番号と前記終了番号との間の番号を登録する通信装置。
【請求項３】
請求項２に記載の通信装置であって、
前記入力部は、前記開始番号および前記終了番号とともに、前記連続番号から除外する除外番号を含む前記入力情報を入力し、
前記登録情報管理部は、前記開始番号と前記終了番号との間の番号のうち、前記除外番号以外の番号を登録する通信装置。
通信装置。
【請求項４】
請求項１に記載の通信装置であって、
前記登録情報管理部は、前記開始番号および前記終了番号を登録する通信装置。
【請求項５】
請求項４に記載の通信装置であって、
前記入力部は、前記開始番号および前記終了番号とともに、前記連続番号から除外する除外番号を含む前記入力情報を入力し、
前記登録情報管理部は、前記開始番号および前記終了番号とともに、前記除外番号を登録する通信装置。
【請求項６】
請求項５に記載の通信装置であって、更に、
着信を検知する着信検知部を有し、
前記入力情報は、前記連続番号を使用する使用者の名称を含み、
前記登録情報管理部は、着信が検知された場合には、前記着信に対応する着信番号が前記開始番号と前記終了番号との間の番号である場合、かつ、前記着信番号と前記除外番号とが不一致である場合、前記着信番号に対応する使用者の名称を表示部に表示させる通信装置。
【請求項７】
請求項６に記載の通信装置であって、
前記登録情報管理部は、着信が検知された場合には、前記着信番号が前記開始番号と前記終了番号との間の番号以外である場合、または、前記着信番号と前記除外番号とが一致する場合、前記着信番号を表示部に表示させる通信装置。
【請求項８】
請求項５に記載の通信装置であって、更に、
前記開始番号と前記終了番号との間の番号であり、かつ、前記除外番号以外の番号であるいずれかの番号を示す発信番号へ発信を行う発信部を有する通信装置。
【請求項９】
請求項８に記載の通信装置であって、
前記発信部は、前記発信番号を使用する発信相手が未応答である場合、かつ、前記発信の時刻から所定時間が経過した場合、前記発信番号以外の他の発信番号へ発信を行う通信装置。
【請求項１０】
通信装置において、
連続する複数の電話番号を示す連続番号の開始番号および終了番号を含む入力情報を入力するステップと、
前記入力情報に基づいて、前記連続番号としての登録情報を登録するステップと
を有する登録方法。
【発明の詳細な説明】
【技術分野】
【０００１】
本発明は、連続する複数の電話番号を登録することが可能な通信装置に関する。
【背景技術】
【０００２】
近年、例えば企業内の電話システムをＩＰ電話に切り替え、通信事業者が提供するサーバに接続し、通話などを行うＩＰセントレックスが普及しつつある。ＩＰセントレックスでは、１つの企業等が連続する複数の電話番号を一括契約して利用するケースが多くある。【０００３】
従来、電話番号を複数登録する場合、登録１件毎に電話番号を登録する相手の名前および電話番号を対応付けて登録することが一般的であったが、この方法では登録作業に時間や労力を要していた。【０００４】
電話番号の登録作業の負担を軽減するために、音声ダイヤル機能付き電話機において、電話をかけたい相手の名前の登録作業、電話番号の登録作業を独立した作業として行うことが知られている（例えば、特許文献１参照）。【０００５】
【特許文献１】特開２００１−１８６４２３号公報
【発明の開示】
【発明が解決しようとする課題】
【０００６】
しかしながら、特許文献１の電話機では、電話をかけたい相手の名前の登録作業、電話番号の登録作業を独立して行うことが可能であるが、登録作業を省略することはできない。そのため、ＩＰセントレックスを利用する企業のように、連続する電話番号を一度に大量に登録する必要がある場合には、登録者の負担が非常に大きくなってしまう。【０００７】
本発明は上記事情に鑑みてなされたものであって、連続する複数の電話番号の登録作業における負担を軽減可能な通信装置および登録方法を提供することを目的とする。
【課題を解決するための手段】
【０００８】
上記目的を達成するために、本発明の第１の通信装置は、情報を記憶するための記憶部と、連続する複数の電話番号を示す連続番号の開始番号および終了番号を含む入力情報を入力する入力部と、前記入力情報に基づいて、前記連続番号としての登録情報を前記記憶部へ登録する登録情報管理部とを有する構成としている。【０００９】
この構成により、連続する複数の電話番号の登録作業における負担を軽減可能である。【００１０】
また、本発明の第２の通信装置は、前記登録情報管理部が、前記開始番号と前記終了番号との間の番号を登録する構成としている。【００１１】
この構成により、連続番号のすべてを登録する場合であっても入力すべき情報は最小限に留められるため、ユーザの利便性が向上する。【００１２】
また、本発明の第３の通信装置は、前記入力部が、前記開始番号および前記終了番号とともに、前記連続番号から除外する除外番号を含む前記入力情報を入力し、前記登録情報管理部は、前記開始番号と前記終了番号との間の番号のうち、前記除外番号以外の番号を登録する構成としている。【００１３】
この構成により、連続番号の中に登録したくない番号が含まれている場合であっても、その番号を指定して登録対象から除外することが可能となる。【００１４】
また、本発明の第４の通信装置は、前記登録情報管理部が、前記開始番号および前記終了番号を登録する構成としている。【００１５】
この構成により、記憶部へ登録される情報が飛躍的に少なくなり、メモリの有効活用が可能である。【００１６】
また、本発明の第５の通信装置は、前記入力部が、前記開始番号および前記終了番号とともに、前記連続番号から除外する除外番号を含む前記入力情報を入力し、前記登録情報管理部は、前記開始番号および前記終了番号とともに、前記除外番号を登録する構成としている。【００１７】
この構成により、除外番号を考慮した場合であっても、記憶部へ登録される情報が飛躍的に少なくなり、メモリの有効活用が可能である。【００１８】
また、本発明の第６の通信装置は、着信を検知する着信検知部を有し、前記入力情報が、前記連続番号を使用する使用者の名称を含み、前記登録情報管理部が、着信が検知された場合には、前記着信に対応する着信番号が前記開始番号と前記終了番号との間の番号である場合、かつ、前記着信番号と前記除外番号とが不一致である場合、前記着信番号に対応する使用者の名称を表示部に表示させる構成としている。【００１９】
この構成により、実際には記憶部へ電話番号が登録されていない番号からの着信であっても、連続番号としての登録情報を保持することで、電話番号が登録されているように名称（相手の名前）を表示することが可能である。【００２０】
また、本発明の第７の通信装置は、前記登録情報管理部が、着信が検知された場合には、前記着信番号が前記開始番号と前記終了番号との間の番号以外である場合、または、前記着信番号と前記除外番号とが一致する場合、前記着信番号を表示部に表示させる構成としている。【００２１】
この構成により、除外番号からの着信については登録されていない番号として扱うことができ、連続番号外の番号からの着信と同様に名称表示ではなく番号表示を行うことが可能である。【００２２】
また、本発明の第８の通信装置は、前記開始番号と前記終了番号との間の番号であり、かつ、前記除外番号以外の番号であるいずれかの電話番号へ発信を行う発信部を有する構成としている。【００２３】
この構成により、特定の電話番号ではなく、いずれかの電話番号へ発信できれば良い場合に有効である。例えば、連続番号を契約している法人のサービス、タクシー呼び出しサービス、チケット予約サービス等が効率的に利用可能である。さらに、相手の名前に対応させて連続番号の情報を登録しておけば、発信者は電話番号は把握しなくても名前だけ把握できれば発信可能である。【００２４】
また、本発明の第９の通信装置は、前記発信部が、前記発信番号を使用する発信相手が未応答である場合、かつ、前記発信の時刻から所定時間が経過した場合、前記発信番号以外の他の発信番号へ発信を行う構成としている。【００２５】
この構成により、１つの発信番号が話中であるなど、発信相手が応答しない場合であっても、所定時間が経過すれば連続的に他の発信番号へ発信を行うことができる。つまり、ユーザは特別な操作を行うことなく、所定の相手へ異なる発信番号で連続的に発信可能である。【００２６】
また、本発明の第１の登録方法は、通信装置において、連続する複数の電話番号を示す連続番号の開始番号および終了番号を含む入力情報を入力するステップと、前記入力情報に基づいて、前記連続番号としての登録情報を登録するステップとを有する方法としている。【００２７】
この方法により、連続する複数の電話番号の登録作業における負担を軽減可能である。
【発明の効果】
【００２８】
本発明によれば、連続する複数の電話番号の登録作業における負担を軽減可能である。
【図面の簡単な説明】
【００２９】
【図１】本発明の第１の実施形態における通信装置の構成の一例を示すブロック図
【図２】本発明の第１の実施形態における電話番号登録処理を行う場合の動作の一例を示すフローチャート
【図３】本発明の第１の実施形態の電話番号登録処理における入力情報および登録情報の一例
【図４】本発明の第２の実施形態における通信装置の構成の一例を示すブロック図
【図５】本発明の第２の実施形態におけるデータベースに記憶される情報の一例を示す図
【図６】本発明の第２の実施形態における電話番号登録処理を行う場合の動作の一例を示すフローチャート
【図７】本発明の第２の実施形態の電話番号登録処理における入力情報および登録情報の一例
【図８】本発明の第２の実施形態における着信処理の一例を示す概念図
【図９】本発明の第２の実施形態における着信処理の別の一例を示す概念図
【図１０】本発明の第２の実施形態における着信処理を行う場合の動作の一例を示すフローチャート
【図１１】本発明の第２の実施形態における発信処理の一例を示す概念図
【図１２】本発明の第２の実施形態における発信処理を行う場合の動作の一例を示すフローチャート
【符号の説明】
【００３０】
１００、２００  通信装置
１１０  入力部
１２０、２２０  通信制御部
１３０、２３０  登録情報管理部
１４０、２４０  データベース
【発明を実施するための最良の形態】
【００３１】
以下、本発明の実施形態における通信装置について、図面を参照して詳細に説明する。ここでは、データの登録形態に応じ、２種類の実施形態が考えられる。【００３２】
（第１の実施形態）
図１は本発明の第１の実施形態における通信装置１００の構成の一例を示すブロック図である。通信装置１００として、例えば、固定電話機、ＦＡＸ、携帯電話端末、電話番号を利用して通信を行うことが可能な通信端末等が考えられる。【００３３】
通信装置１００は、入力部１１０、通信制御部１２０、登録情報管理部１３０、データベース１４０を有して構成される。【００３４】
入力部１１０は、登録を行うべき相手の名前（企業の名称等を含む）および連続する複数の電話番号の開始番号、終了番号を入力する。また、入力部１１０は、連続番号の中で登録を除外するための除外番号の入力も行う。入力部１１０は、文字による文字入力を行っても、音声による音声入力を行っても良い。入力部１１０は、例えばキーボードや音声入力を行うためのマイクなどである。また、例えば大量の情報を登録する場合、名刺などにバーコードが印刷されている場合にはバーコードを利用して入力を行ってもよいし、専用ソフトを利用してＰＣ上で登録したものを転送することで入力してもよいし、該当する情報を既に登録した端末が存在する場合にはその端末から受信することで入力してもよい。【００３５】
通信制御部１２０は、電話機能としての基本動作（発信処理、着信処理等）を行う。この発信処理、着信処理は、一般的な方法で行われる。【００３６】
登録情報管理部１３０は、データベース１４０への電話番号情報の登録および編集を行う。また、発信時および着信時等には、データベース１４０に登録されている電話番号情報の検索や閲覧を行う。【００３７】
データベース１４０は、登録された相手の名前、その相手の名前に対応する電話番号、除外番号を記憶する。データベース１４０では、１つの電話番号に対して１つの名前が記憶され、管理される。尚、データベース１４０は「記憶部」の一例である。【００３８】
次に、通信装置１００における電話番号登録処理の一例について説明する。図２は通信装置１００における電話番号登録を行う場合の動作の一例を示す図である。【００３９】
まず、入力部１１０が、利用者の指示により、登録を行うべき相手の名前および連続する複数の電話番号の開始番号、終了番号、および登録を除外すべき除外番号を入力情報として入力する（ステップＳ１０１）。【００４０】
続いて、登録情報管理部１３０が、第１の登録情報として、入力された開始番号と相手の名前をデータベース１４０に登録する（ステップＳ１０２）。【００４１】
続いて、登録情報管理部１３０が、直前に登録された電話番号をインクリメント（＋１）する（ステップＳ１０３）。この場合、例えば、この登録が２番目の電話番号登録である場合には、第１の登録情報の電話番号をインクリメントし、ｎ番目の電話番号登録である場合には、第ｎ−１の登録情報の電話番号をインクリメントする。【００４２】
続いて、登録情報管理部１３０が、インクリメントした電話番号が除外番号と同一であるか否かを判定する（ステップＳ１０４）。同一である場合は、ステップＳ１０５の処理をスキップする。【００４３】
続いて、登録情報管理部１３０が、インクリメントした電話番号および名前をデータベース１４０に登録する（ステップＳ１０５）。【００４４】
続いて、登録情報管理部１３０が、インクリメントされた電話番号が入力された終了番号と同一であるか否かを判定する（ステップＳ１０６）。同一でない場合はステップＳ１０３の直前に戻り、同一である場合は電話番号登録処理を終了する。【００４５】
図３は通信装置１００の電話番号登録処理における入力情報および登録情報の一例である。【００４６】
入力部１１０により入力される入力情報としては、名前、連続する複数の電話番号の開始番号および終了番号、登録を除外すべき除外番号のみが入力されるが、データベース１４０に登録される登録情報としては、１つの名前に対して１つの電話番号をもつように電話番号登録が行われる。【００４７】
このような通信装置１００によれば、連続する複数の電話番号の登録作業における負担を軽減可能である。【００４８】
（第２の実施形態）
図４は本発明の第２の実施形態における通信装置２００の構成の一例を示すブロック図である。通信装置２００として、例えば、固定電話機、ＦＡＸ、携帯電話端末、電話番号を利用して通信を行うことが可能な通信端末等が考えられる。通信装置２００において、通信装置１００と同一の機能を有する構成要素については、同一の符号を付し、説明を省略または簡略化する。【００４９】
通信装置２００は、入力部１１０、通信制御部２２０、登録情報管理部２３０、データベース２４０を有して構成される。【００５０】
通信制御部２２０は、電話機能としての基本動作（発信処理、着信処理等）を行う。尚、通信制御部２２０は、「着信検知部」、「発信部」としての機能を有する。【００５１】
登録情報管理部２３０は、データベース２４０への電話番号情報の登録および編集を行う。また、発信時および着信時等には、データベース２４０に登録されている電話番号情報の検索や閲覧を行う。【００５２】
データベース２４０は、登録された相手の名前、相手の名前に対応する連続する電話番号の開始番号および終了番号、除外番号を記憶する。データベース１４０では、１つの電話番号に対して１つの名前が記憶されるものではないため、メモリを効率的に利用可能である。データベース２４０に記憶される情報の一例を図５に示す。尚、データベース２４０は「記憶部」の一例である。【００５３】
次に、通信装置２００における電話番号登録処理の一例について説明する。図６は通信装置２００が電話番号登録を行う場合の動作の一例を示す図である。【００５４】
まず、入力部１１０が、利用者の指示により、登録を行うべき相手の名前および連続する複数の電話番号の開始番号、終了番号、および登録を除外すべき除外番号を入力情報として入力する（ステップＳ２０１）。【００５５】
続いて、登録情報管理部２３０が、登録情報として、入力された相手の名前、相手の名前に対応する連続する電話番号の開始番号および終了番号、除外番号をデータベース２４０に登録する（ステップＳ１０２）。【００５６】
図７は通信装置２００の電話番号登録処理における入力情報および登録情報の一例である。【００５７】
入力部１１０により入力される入力情報としては、登録すべき名前、連続する複数の電話番号の開始番号および終了番号、登録を除外すべき除外番号のみが入力され、データベース１４０に登録される登録情報として、入力情報がそのまま登録される。【００５８】
このような通信装置２００の電話番号登録処理によれば、連続する複数の電話番号の登録作業における負担を軽減可能である。さらに、連続する電話番号のそれぞれを全て登録するのではなく、連続番号の開始番号および終了番号のみを登録するので、メモリを効率よく利用可能である。さらに、電話番号の登録ミスも防止可能である。【００５９】
尚、登録情報としては、図７において、電話番号（開始／終了）、除外番号について、いずれの項目についても全桁数（０５０−ｘｘｘｘも含めたもの）をデータベース２４０に登録するようにしてもよいし、１つの項目のみ全桁数で登録し、その他の番号は下４桁とするなど、一部を登録するようにしてもよい。【００６０】
また、除外番号も登録対象の電話番号と同様に、範囲指定（除外の開始番号、終了番号を登録し、その間の番号を除外番号とする）を行うようにしてもよい。【００６１】
次に、通信装置２００における着信処理の一例について説明する。図８は通信装置２００における着信処理の一例を示す概念図である。図８は着信番号が除外番号ではない場合を示している。【００６２】
例えば、ＡＢＣ株式会社においてＤＩ番号として連続番号を契約しており、そのうちの１つの番号から発信された電話を着信した場合、通信装置２００は、データベース２４０に登録されている相手の名前（相手名称）を画面上に表示する。また、着信時の動作として、表示に代わってもしくは併せて特定の動作（着信音の鳴動やバイブレーションによる振動）が指定されている場合、通信装置２００は、その指定に従った動作を行う。【００６３】
このような着信処理は、例えば複数のメンバーが同じ業務を共同で行い、各々が外線番号を持っている場合など、メンバーからの着信という大雑把な情報のみが分かれば足りる場合に有効である。【００６４】
また、通信装置２００は電話番号の先頭の一部だけを登録してもよい。この場合、例えば、開始番号として０７５、終了番号として０７５を登録することで、０７５−ｘｘｘｘ−ｘｘｘｘから着信した場合、０７５（京都）からの着信であることが分かる。【００６５】
一方、図９は通信装置２００における着信処理の別の一例を示す概念図である。図９は着信番号が除外番号である場合を示している。【００６６】
例えば、ＡＢＣ株式会社においてＤＩ番号として連続番号を契約しており、その連続番号のうちの１つの除外番号から発信された電話を着信した場合、通信装置２００は、着信した電話番号を画面上に表示する。つまり、通信装置２００では、この着信番号は、範囲指定された連続番号には属するが、データベース２４０に登録されていない番号として扱われる。【００６７】
図１０は通信装置２００が着信処理を行う場合の動作の一例を示すチャートである。ここでは、着信処理における表示部への表示まで説明する。【００６８】
まず、通信制御部２２０が、外部の通信装置からの着信を検知した場合（ステップＳ３０１）、登録情報管理部２３０は、データベース２４０を検索し、着信番号がデータベース２４０に記憶された連続する電話番号の開始番号および終了番号の間の番号であるか否かを判定する（ステップＳ３０２）。【００６９】
着信番号が開始番号および終了番号の間の番号である場合、登録情報管理部２３０は、着信番号が除外番号であるか否かを判定する（ステップＳ３０３）。【００７０】
着信番号が除外番号ではない場合、登録情報管理部２３０は、データベース２４０に記憶された着信番号に対応する相手の名前（相手名称）を図示しない表示部に表示する（ステップＳ３０４）。【００７１】
着信番号が、開始番号および終了番号の間の番号ではない場合、または、開始番号および終了番号の間の番号でありかつ除外番号である場合、登録情報管理部２３０は、着信番号を図４に図示しない表示部に表示する（ステップＳ３０５）。【００７２】
このような通信装置２００の着信処理によれば、１つ１つの電話番号を誰が利用しているかを把握する必要がない、もしくは不明である場合であって、その電話番号を含む連続番号を利用する団体が特定できれば良い場合に、容易に発信者である団体を認識することが可能である。【００７３】
次に、通信装置２００における発信処理の一例について説明する。図１１は通信装置２００における発信処理の一例を示す概念図である。【００７４】
例えば、ＡＢＣ株式会社においてＤＩ番号として連続番号を契約しており、通信装置２００は、そのうちの１つの番号を利用する１台に対して発信を行う。この場合、複数の番号のうちのいずれの番号に発信するかは区別をせず、いずれかの番号に発信を行う。発信を行った番号が発信時に使用中であった場合には、自動的に別のいずれかの番号に発信を繰り返す。【００７５】
このような発信処理は、１つの団体で連続する複数の電話番号について契約や公開がされており、いずれかの番号に着信できれば良いサービスに有効である。例えば、タクシー配車などで、複数公開された番号のいずれかに発信する場合、特定時間にサービスが開始されるチケット予約を行う場合などに有効である。この発信処理を行うことで、短時間に効率良く発信処理を行うことが可能である。【００７６】
次に、通信装置２００における発信処理の一例について説明する。通信装置２００が発信処理を行う場合の動作の一例を示すフローチャートである。図５を用いて具体例についても併せて説明する。【００７７】
まず、入力部１１０等により、発信すべき相手の名前（相手名称）を指定する（ステップＳ４０１）。例えば、図５において、相手名称（ＡＢＣ株式会社）を選択する。尚、相手の名前を指定する際には、例えば、データベース２４０に記憶されている名前を一覧表示させ、入力部１１０により一覧の中から選択することが考えられる。【００７８】
続いて、登録情報管理部２３０が、データベース２４０を検索し、指定された相手の名前に対応する連続する電話番号の開始番号から終了番号までの番号の個数を計算する（ステップＳ４０２）。例えば、図５において、ＡＢＣ株式会社は開始番号が０１０１、終了番号が０１１０であるので、番号の個数は１０個となる。【００７９】
続いて、登録情報管理部２３０は、計算した個数を最大値とするランダム数を生成する（ステップＳ４０３）。例えば、１から１０までのランダム数であり、ランダム数として２を生成したものとする。【００８０】
続いて、登録情報管理部２３０は、ランダム生成した番号に対応する発信番号が除外番号と一致するか否かを判定する（ステップＳ４０４）。例えば、ランダム数が２の場合、発信番号は０５０−ｘｘｘｘ−０１０２となる。【００８１】
発信番号と除外番号とが一致した場合、ステップＳ４０３の直前に戻る。例えば、ランダム数が２の場合、データベース２４０を参照すると、発信番号０５０−ｘｘｘｘ―０１０２は除外番号であるので、ランダム数の再生成を行うべくステップＳ４０３の直前に戻る。【００８２】
発信番号と除外番号とが不一致である場合、通信制御部２２０は、ランダム生成した番号に対応する発信番号へ発信する（ステップＳ４０５）。例えば、ランダム数が３の場合、データベース２４０を参照すると、発信番号０５０−ｘｘｘｘ−０１０３は除外番号ではないので、この発信番号へ発信を行う。発信番号を利用する相手が応答した場合、処理を終了する。【００８３】
続いて、通信制御部２２０は、相手が応答せずに発信時刻から所定時間が経過したか否かを判定する（ステップＳ４０６）。所定時間が経過した場合には、ステップＳ４０３の直前に戻る。例えば、ランダム数が３であり、発信番号０５０−ｘｘｘｘ−０１０３が話し中である場合には、再度ランダム値を生成し、他の発信番号でリダイヤルを試みる。これにより、発信番号が使用中であり相手が応答できない場合であっても、連続的に連続番号のうちのいずれかの番号に対して発信を行うことが可能である。【００８４】
このような通信装置２００の発信処理によれば、連続する電話番号を利用可能な相手へ発信を行う場合は、自動的に連続して異なる電話番号を利用して発信を行うことが可能である。そのため、例えば１つの電話番号が使用中である場合に、他の電話番号を用いて再ダイヤルを行う必要がなく、ユーザの利便性が飛躍的に向上する。
【産業上の利用可能性】
【００８５】
本発明は、連続する複数の電話番号の登録作業における負担を軽減可能な通信装置等に有用である。
【図１】
2009028105.tif 000003
【図２】
2009028105.tif 000004
【図３】
2009028105.tif 000005
【図４】
2009028105.tif 000006
【図５】
2009028105.tif 000007
【図６】
2009028105.tif 000008
【図７】
2009028105.tif 000009
【図８】
2009028105.tif 000010
【図９】
2009028105.tif 000011
【図１０】
2009028105.tif 000012
【図１１】
2009028105.tif 000013
【図１２】
2009028105.tif 000014
【手続補正書】
【提出日】平成20年12月22日(2008.12.22)
【手続補正１】
【補正対象書類名】特許請求の範囲
【補正対象項目名】全文
【補正方法】変更
【補正の内容】
【特許請求の範囲】
【請求項１】
情報を記憶するための記憶部と、
開始番号および終了番号を入力情報として入力する入力部と、
前記入力情報に基づいて、前記開始番号から前記終了番号までに含まれる連続番号を登録情報として前記記憶部へ登録する登録情報管理部と、
を有する通信装置。
【請求項２】
請求項１に記載の通信装置であって、
前記入力部は、前記開始番号および前記終了番号とともに、前記登録情報管理部に登録される前記連続番号から除外する除外番号を前記入力情報として入力し、
前記登録情報管理部は、前記開始番号と前記終了番号との間の番号のうち、前記除外番号以外の番号を登録する通信装置。
【請求項３】
請求項２に記載の通信装置であって、更に、
着信を検知する着信検知部を有し、
前記記憶部は、前記連続番号に対応する使用者の名称も合せて記憶し、
前記登録情報管理部は、着信が検知された場合には、前記着信に対応する着信番号が前記開始番号と前記終了番号との間の番号である場合、かつ、前記着信番号と前記除外番号とが不一致である場合、前記着信番号に対応する使用者の名称を表示部に表示させる通信装置。
【請求項４】
請求項３に記載の通信装置であって、
前記登録情報管理部は、着信が検知された場合には、前記着信番号が前記開始番号と前記終了番号との間の番号以外である場合、または、前記着信番号と前記除外番号とが一致する場合、前記着信番号を表示部に表示させる通信装置。
【請求項５】
請求項２に記載の通信装置であって、更に、
前記開始番号と前記終了番号との間の番号であり、かつ、前記除外番号以外の番号であるいずれかの番号を示す発信番号へ発信を行い、前記発信番号を使用する発信相手が未応答である場合、かつ、前記発信の時刻から所定時間が経過した場合、前記発信番号以外の他の発信番号へ自動的に発信を行い、前記発信相手が応答した場合、発信を終了する発信部を備える通信装置。
【請求項６】
（削除）
【請求項７】
（削除）
【請求項８】
（削除）
【請求項９】
（削除）
【請求項１０】
（削除）
【国際調査報告】
2009028105.tif 000015
2009028105.tif 000016
2009028105.tif 000017
2009028105.tif 000018